(57)【要約】【課題】シールド板の変形や脱落のおそれを低減した転がり軸受を提供する。【解決手段】転がり軸受は、内径側に溝１９ａが設けられた外輪１２と、内輪と、外輪１２と内輪との間に配置される転動体と、溝１９ａに圧入され、外部からの異物の混入を防止するシールド板１８ａとを備える。ここで、シールド板１８ａは、外輪１２に溶接されている。このように構成すると、外輪１２に設けられた溝１９ａに圧入されたシールド板１８ａが、外輪１２に確実に装着され、シールド板１８ａを外輪１２に強固に固定することができる。【選択図】図１
2008051304.tif 000002
【特許請求の範囲】
【請求項１】
内径側に溝が設けられた外輪と、
内輪と、
前記外輪と前記内輪との間に配置される転動体と、
前記溝に圧入され、外部からの異物の混入を防止するシールド板とを備える転がり軸受であって、
前記シールド板は、前記外輪に溶接されている、転がり軸受。
【請求項２】
前記シールド板が溶接されている箇所は、前記シールド板の外径側の端部である、請求項１に記載の転がり軸受。
【請求項３】
前記シールド板が溶接されている箇所は、前記シールド板の周方向の任意の箇所である、請求項１または２に記載の転がり軸受。
【請求項４】
前記シールド板は、その外径側の端部が前記外輪の幅面側に向くように軸方向に折り曲げられ、圧入されている、請求項１〜３のいずれかに記載の転がり軸受。
【請求項５】
前記転動体は、玉である、請求項１〜４のいずれかに記載の転がり軸受。
【発明の詳細な説明】
【技術分野】
【０００１】
この発明は、転がり軸受に関し、特に、シールド板を備える転がり軸受に関するものである。
【背景技術】
【０００２】
例えば、ハードディスクドライブ装置等の情報機器に使用される転がり軸受には、外部からの異物の混入を防止するために、シールド板を備えるものがある。このような構成の転がり軸受は、例えば、特開平１１−２２５２号公報（特許文献１）に開示されている。
【０００３】
図４は、特許文献１に示す転がり軸受の一部を示す断面図である。図４を参照して、転がり軸受１０１は、外輪１０２と、内輪１０３と、転動体としての玉１０４と、玉１０４を保持する保持器１０５と、異物の混入を防止するシールド板１０６とを備える。シールド板１０６は、折り返し部１０７を塑性変形させ、加締め広げられている。このようにして、外輪１０２の内径側の面に設けられた係止溝１０８に圧入され、係止されている。
【特許文献１】特開平１１−２２５２号公報（段落番号００２０〜００２８、図８等）
【発明の開示】
【発明が解決しようとする課題】
【０００４】
特許文献１によると、シールド板は、折り返し部を加締められて、外輪の係止溝に圧入され、係止されているのみである。また、シールド板を備える一般的な転がり軸受において、シールド板は、外輪に設けられた溝に圧入されているのみである。そうすると、外輪に対するシールド板の固定が不十分となる。その結果、例えば、転がり軸受の外部側からシールド板に荷重が負荷された場合、シールド板が変形したり、シールド板が圧入部から外れて、転がり軸受から脱落するおそれがある。
【０００５】
この発明の目的は、シールド板の変形や脱落のおそれを低減した転がり軸受を提供することである。
【課題を解決するための手段】
【０００６】
この発明に係る転がり軸受は、内径側に溝が設けられた外輪と、内輪と、外輪と内輪との間に配置される転動体と、溝に圧入され、外部からの異物の混入を防止するシールド板とを備える。ここで、シールド板は、外輪に溶接されている。
【０００７】
このように構成することにより、外輪に設けられた溝に圧入されたシールド板が、外輪に確実に装着されることになる。そうすると、シールド板を外輪に強固に固定することができる。したがって、シールド板に荷重が負荷された場合でも、シールド板が変形したり、シールド板が外輪から脱落するおそれは低減する。
【０００８】
好ましくは、シールド板が溶接されている箇所は、シールド板の外径側の端部である。こうすることにより、改めて溶接するための穴や部位を設けることなく、容易に、溶接することができる。
【０００９】
さらに好ましくは、シールド板が溶接されている箇所は、シールド板の周方向の任意の箇所である。こうすることにより、数箇所を溶接するのみで、シールド板を外輪に強固に固定することができる。
【００１０】
さらに好ましくは、シールド板は、その外径側の端部が外輪の幅面側に向くように軸方向に折り曲げられ、圧入されている。こうすることにより、外輪の幅面側から、容易に溶接することができる。特に、外径側の端部を溶接する際に、好適である。
【００１１】
さらに好ましくは、転動体は、玉である。シールド板を備えた転がり軸受は、転動体を玉とし、軸受寸法を小さくしたミニチュア玉軸受に多用される。このような場合にも、シールド板を外輪に装着し、確実に固定することができる。
【発明の効果】
【００１２】
この発明によれば、外輪に設けられた溝に圧入されたシールド板が、外輪に確実に装着されることになる。そうすると、シールド板を外輪に強固に固定することができる。したがって、シールド板に荷重が負荷された場合でも、シールド板が変形したり、シールド板が外輪から脱落するおそれは低減する。
【発明を実施するための最良の形態】
【００１３】
以下、この発明の実施の形態を、図面を参照して説明する。図２は、この発明の一実施形態に係る転がり軸受の一部を示す断面図である。図１は、図２中のＩで示す部分の拡大図である。また、図３は、図２に示す転がり軸受を、図２中の矢印Ａの方向から見た図である。図１、図２および図３を参照して、転がり軸受１１は、内径側に軌道面１６を有する外輪１２と、外径側に軌道面１７を有する内輪１３と、外輪１２および内輪１３の間に配置される転動体としての複数の鋼球１４と、複数の鋼球１４を保持する保持器１５とを備える。鋼球１４は、軌道面１６、１７上を転動する。外輪１２、内輪１３は、それぞれ金属製である。
【００１４】
また、転がり軸受１１は、外部からの異物の混入を防止する円板状のシールド板１８ａ、１８ｂを備える。シールド板１８ａ、１８ｂもまた、金属製である。シールド板１８ａ、１８ｂは、鋼球１４の軸方向の両側に設けられている。外輪１２の内径側には、シールド板１８ａ、１８ｂを圧入するための２つの溝１９ａ、１９ｂが設けられている。溝１９ａ、１９ｂは、外輪１２の内径側に位置する面のうち、軌道面１６を外した部分であって、外輪１２の両方の幅面２０ａ、２０ｂ側に設けられている。溝１９ａ、１９ｂは、周方向に延び、外輪１２の軌道面１６から、外径側に凹むように設けられている。
【００１５】
シールド板１８ａは、一旦軸方向に折り曲げられた後、外径側の端部２１が軸方向に折り返されるようにして折り曲げられている。シールド板１８ａの内径側の端部２２は、軸方向であって、端部２１が折り曲げられている方向と逆の方向に折り曲げられている。シールド板１８ａは、端部２１が転がり軸受１１の外部側、すなわち、外輪１２の幅面２０ａ側に向き、端部２２が、転がり軸受１１の内部側に向くように、外輪１２に装着される。シールド板１８ｂは、シールド板１８ａと同様の構成であるため、その説明を省略する。また、シールド板１８ｂは、図２において、シールド板１８ａと左右対称な向きで、溝１９ｂに圧入される。
【００１６】
ここで、シールド板１８ａと外輪１２とは、溶接されている。具体的には、シールド板１８ａの外部側に向いた端部２１と、端部２１に近接する外輪１２の幅面２０ａ側の内径面２３の一部とが溶接されている。すなわち、溶接部２４は、端部２１のやや軸方向の外側であって、溝１９ａの内径面２３の内径側となる。周方向において溶接されている位置は、図３に示すように、４箇所溶接されている。また、４箇所の溶接部２４ａ、２４ｂ、２４ｃ、２４ｄは、周方向に約９０°間隔である。
【００１７】
このように構成することにより、外輪１２に設けられた溝１９ａに圧入されたシールド板１８ａが、外輪１２に確実に装着される。そうすると、シールド板１８ａを外輪１２に強固に固定することができる。したがって、シールド板１８ａに荷重が負荷された場合でも、シールド板１８ａが変形したり、シールド板１８ａが外輪１２から脱落するおそれは低減する。
【００１８】
また、シールド板１８ａの外径側の端部２１は、軸方向に折り返すようにして折り曲げられているため、幅面２０ａ側から容易に溶接を行うことができる。したがって、外輪１２とシールド板１８ａとの溶接を、容易に行うことができる。
【００１９】
さらに、周方向に９０°間隔で４箇所を溶接するのみで、十分に外輪１２とシールド板１８ａを固定することができる。したがって、数箇所を溶接するのみで、シールド板１８ａと外輪１２とを十分に固定することができる。
【００２０】
特に、上記した情報機器等に使用されるミニチュア玉軸受は、シールド板の圧入が不十分であることが多く、上記した転がり軸受をミニチュア玉軸受として使用すると、その効果は大きい。
【００２１】
なお、上記の実施の形態においては、外径側の端部と外輪の圧入部とを溶接することにしたが、これに限らず、他の箇所において、シールド板を外輪に溶接することにしてもよい。例えば、シールド板に、溶接用の突起を設け、この部分と外輪とを溶接してもよいし、外輪と他の接触する部分において、溶接することにしてもよい。
【００２２】
また、上記の実施の形態においては、シールド板の形状として、外径側の端部が軸方向に折り返されるタイプのシールド板について説明したが、これに限らず、例えば、径方向に真直ぐに延びる形状等、種々の形状のシールド板についても適用される。
【００２３】
なお、周方向の位置において、約９０°間隔で溶接することにしたが、これに限らず、他の任意の箇所において、溶接することにしてもよい。また、４箇所よりも多く、または少なく溶接することにしてもよい。
【００２４】
なお、上記の実施の形態においては、転動体として鋼球、すなわち、玉を使用した場合について説明したが、転動体として、円筒ころや針状ころ、棒状ころ等のころを使用した場合についても適用される。
【００２５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２６】
この発明に係る転がり軸受は、外輪とシールド板が確実に固定されているため、シールド板に大きな荷重が負荷される場合に、有効に利用される。
【図面の簡単な説明】
【００２７】
【図１】外輪とシールド板の溶接部を示す拡大断面図である。
【図２】この発明の一実施形態に係る転がり軸受の一部を示す断面図である。
【図３】図２に示す転がり軸受を、図２中の矢印Ａの方向から見た図である。
【図４】従来におけるシールド板を備える転がり軸受の一部を示す断面図である。
【符号の説明】
【００２８】
１１  転がり軸受、１２  外輪、１３  内輪、１４  鋼球、１５  保持器、１６，１７  軌道面、１８ａ，１８ｂ  シールド板、１９ａ，１９ｂ  溝、２０ａ，２０ｂ  幅面、２１，２２  端部、２３  内径面、２４，２４ａ，２４ｂ，２４ｃ，２４ｄ  溶接部。
【図１】
2008051304.tif 000003
【図２】
2008051304.tif 000004
【図３】
2008051304.tif 000005
【図４】
2008051304.tif 000006